(57)【要約】【課題】  シートやネット等の果実支持体の張架を破損無く簡便且つ低コストに行え、しかも張架をやり直して張り具合の再調整も可能とする高設栽培装置の果実支持体張架器具を提供する。【解決手段】  栽培ベッドを脚架台で所定高さに配設し、同栽培ベッドの側部に成長して垂れ下がる果実を下方から支持する果実支持体を敷設した高設栽培装置における前記果実支持体を張架する果実支持体張架器具であって、全体が略Ｌ字型で、その一辺の基端部を脚架台へ取り付ける取付部２とし、他辺は果実支持体を上面で支持する緩やかな湾曲状の支持腕４に形成し、同支持腕４の少なくとも両端部に張り渡した果実支持体を脱着可能なピン５で押止するピン穴４ｂを形成した。【選択図】図１ 
2005287355.tif 000002
【特許請求の範囲】
【請求項１】
栽培ベッドを脚架台で所定高さに配設し、同栽培ベッドの側部に成長して垂れ下がる果実を下方から支持する面状の果実支持体を敷設した高設栽培装置における前記果実支持体を張架する果実支持体張架器具であって、全体が略Ｌ字型で、その一辺の基端部を脚架台へ高さ調整可能に取り付ける取付部とし、他辺は果実支持体を上面で支持する緩やかな湾曲状の支持腕に形成し、同支持腕の少なくとも両端部に張り渡した果実支持体を脱着可能なピンで押止するピン穴を形成したことを特徴とする高設栽培装置の果実支持体張架器具。
【請求項２】
ピン穴に挿入するピンを果実支持体張架器具に脱離可能に付設した請求項１記載の高設栽培装置の果実支持体張架器具。
【請求項３】
支持腕の湾曲上部に栽培ベッドの側辺方向の溝を形成し、同溝にワイヤーを挿入して栽培ベッドの側辺方向に掛架することで果実支持体を下方から支持して弛みを低減できるようにした請求項１又は２記載の高設栽培装置の果実支持体張架器具。
【請求項４】
取付部が、脚架台を挟持する別体の挟持部材と、同挟持部材に上方から垂下して脱着自在に掛止する掛止部を形成したものである請求項１〜３いずれか記載の高設栽培装置の果実支持体張架器具。
【発明の詳細な説明】
【技術分野】
【０００１】
本発明はイチゴ等の栽培に用いる高設栽培装置において、成長して垂れ下がる果実を下方から支持するシート又はネットからなる面状の果実支持体を張架する果実支持体張架器具に関する。
【背景技術】
【０００２】
従来、果実支持体を張架する果実支持体張架器具は特許文献１に開示されている。この技術は、器具本体の基端部に栽培ベッド支持部材へ回動可能に取り付ける取付把持部を備え、上面は湾曲膨出させてその湾曲膨出面に鍵状のシート係止部を適宜間隔おいて形成し、果実支持シート面には複数の穴を開口しておき、この穴を前記シート係止部に係止させることで被着できるようにしたことを特徴としている。
【０００３】
ところで、前記構成の果実支持体張架器具は果実支持シートに予め穴を開口しておく必要があり、コストがかかる問題があった。また、果実支持シートの材質によっては係止時に穴が拡張して破れ易く、取り扱いが難しいものであった。さらに、穴は予め定位置に開口されているものであるから、果実支持シートを被着し直して張り具合を再調整することはできなかった。
【特許文献１】特開２００３−１１１５２２号公報
【発明の開示】
【発明が解決しようとする課題】
【０００４】
本発明が解決しようとする課題は、従来のこれらの問題点を解消し、果実支持体の張架を破損なく簡便且つ低コストに行え、しかも張架をやり直して張り具合の再調整も可能とする高設栽培装置の果実支持体張架器具を提供することにある。
【課題を解決するための手段】
【０００５】
かかる課題を解決した本発明の構成は、
１）  栽培ベッドを脚架台で所定高さに配設し、同栽培ベッドの側部に成長して垂れ下がる果実を下方から支持する面状の果実支持体を敷設した高設栽培装置における前記果実支持体を張架する果実支持体張架器具であって、全体が略Ｌ字型で、その一辺の基端部を脚架台へ高さ調整可能に取り付ける取付部とし、他辺は果実支持体を上面で支持する緩やかな湾曲状の支持腕に形成し、同支持腕の少なくとも両端部に張り渡した果実支持体を脱着可能なピンで押止するピン穴を形成したことを特徴とする高設栽培装置の果実支持体張架器具
２）  ピン穴に挿入するピンを果実支持体張架器具に脱離可能に付設した前記１）記載の高設栽培装置の果実支持体張架器具
３）  支持腕の湾曲上部に栽培ベッドの側辺方向の溝を形成し、同溝にワイヤーを挿入して栽培ベッドの側辺方向に掛架することで果実支持体を下方から支持して弛みを低減できるようにした前記１）又は２）記載の高設栽培装置の果実支持体張架器具
４）  取付部が、脚架台を挟持する別体の挟持部材と、同挟持部材に上方から垂下して脱着自在に掛止する掛止部を形成したものである前記１）〜３）いずれか記載の高設栽培装置の果実支持体張架器具
にある。
【発明の効果】
【０００６】
本発明によれば、果実支持体を支持腕のピン穴にピンで押し付けて保持するから、果実支持体に予め穴を開口しておく必要がなく低コストで張架でき、破損しにくく取り扱いが簡便である。また、ピンは脱着可能であるから、弛んだ果実支持体を再度張り直して張り具合を調整できる。
【発明を実施するための最良の形態】
【０００７】
本発明の果実支持体張架器具はプラスチック等で構成され、ピン穴に挿入するピンを果実支持体張架器具に脱離可能に一体成形しておくと、使用前にピンを別途管理する必要がなく、取り付け時も作業性に優れる。また、支持腕の湾曲上部に栽培ベッドの側辺方向の溝を形成し、同溝にワイヤーを挿入して栽培ベッドの側辺方向に掛架し、果実支持体を下方から支持して弛みを低減できるようにするのが望ましい。取付部は脚架台を挟持する別体の挟持部材に上方から垂下して脱着自在に掛止する掛止部を形成すると、脚架台の寸法が異なっても果実支持体張架器具は共通して低コストにて使用できる。なお、果実支持体としては、ビニルシートやネットなど果実を面で受けることができるものを用いる。以下、本発明の実施例を図面に基づいて具体的に説明する。
【実施例１】
【０００８】
図１は実施例の果実支持体張架器具の斜視図、図２は実施例の果実支持体張架器具の側面図、図３は実施例の果実支持体張架器具の使用状態を示す一部切欠斜視図、図４は実施例の果実支持体張架器具の使用状態を示す断面図である。図中、１は果実支持体張架器具、２は取付部、２ａは挿着空間、２ｂは係止部、３は挟持部材、３ａは挟持空間、３ｂは係止片、４は支持腕、４ａは湾曲面、４ｂはピン穴、４ｃはワイヤー溝、５はピン、６はワイヤー、７は果実支持シート、８は栽培ベッド、９は脚架台、Ｇは培土、Ｐはイチゴ、Ｐａは果実である。
【０００９】
本実施例の果実支持体張架器具１は、図１，２に示すようにプラスチックで一体成形された全体が略Ｌ字型で、その一辺の基端部をパイプ状の脚架台９を挟持させた別体の挟持部材３を上方から垂下して脱着自在に係止する係止部２とし、他辺は果実支持シート７を上面で支持する緩やかな湾曲面４ａを有する支持腕４に形成し、支持腕４にはその基部上面及び先端部にピン５を挿入するピン穴４ｂを形成し、ピン５は果実支持体張架器具１に脱離可能に一体的に付設し、湾曲面４ａにはワイヤー６を挿入するワイヤー溝４ｃを３箇所を支持腕４の長手と直交方向に形成している。
【００１０】
図３に示すように、栽培ベッド８を所定高さに立設した複数の脚架台９に挟持部材３をそれぞれ挟持させ、前記果実支持体張架器具１の取付部２の係止部２ｂを挟持部材３の係止片３ｂに上方から垂下させて嵌着し、各果実支持体張架器具１のワイヤー溝４ｃ間にワイヤー６を挿入して掛架し、果実支持シート７を栽培ベッド８から果実支持体張架器具１の湾曲面４ａに沿って支持腕４の先端部まで張り渡し、果実支持体張架器具１に付設されている２個のピン５をそれぞれ脱離して果実支持シート７の上面から支持腕４の各ピン穴４ｂにそれぞれ押止して張架する。
【００１１】
その後、栽培ベッド８の培土Ｇに定植したイチゴＰの苗が成長して果実Ｐａを付け、成長に従って果実Ｐａの茎が徐々に伸びるとともに果実Ｐａが大きくなって重量で垂れ下がるが、果実支持シート７で下方から支持されることで茎が折れたりすることなく成長して収穫できるようになる。栽培中に果実Ｐａの重量等により果実支持シート７に弛みが生じた場合は、一旦ピン５を外して果実支持シート７を張り直し、再びピン５で押止することで容易に張り具合を調整する。
【００１２】
図５に示すのは、果実支持体としてネットを用いた実施例の他の例である。図５は実施例の他の例の果実支持体張架器具の使用状態を示す断面図である。図中、４ｄはワイヤー掛架部、４ｅはフック、１０は果実支持ネットである。
【００１３】
図５に示す実施例の他の例は、支持腕４の先端下部にワイヤー６を掛架するワイヤー掛架部４ｄを形成し、同ワイヤー掛架部４ｄの後方に果実支持ネット１０の網目を引掛けるフック４ｅを形成している。
【００１４】
実施例の他の例では、ワイヤー掛架部４ｄにワイヤー６を湾曲面４ａのワイヤー溝４ｃに挿入したワイヤー６と同方向に掛架し、果実支持ネット１０を湾曲面４ａに沿って支持腕４の先端部下方まで張り渡し、果実支持体張架器具１からピン５を脱離して果実支持ネット１０の上面から湾曲面４ａ上のピン穴４ｂに押止し、果実支持ネット１０を支持腕４の先端部を覆うように下部後方へ巻き込み、その緑辺の網目をフック４ｅに引掛けて張架する。その他、符号、構成、作用効果は実施例と同じである。
【産業上の利用可能性】
【００１５】
本発明の高設栽培装置の果実支持体張架器具は、イチゴの栽培の他、トマト等の野菜、その他植物など地上から所定高さで栽培する高設栽培装置に利用できる。
【図面の簡単な説明】
【００１６】
【図１】実施例の果実支持体張架器具の斜視図である。
【図２】実施例の果実支持体張架器具の側面図である。
【図３】実施例の果実支持体張架器具の使用状態を示す一部切欠斜視図である。
【図４】実施例の果実支持体張架器具の使用状態を示す断面図である。
【図５】実施例の他の例の果実支持体張架器具の使用状態を示す説明図である。
【符号の説明】
【００１７】
１  果実支持体張架器具
２  取付部
２ａ  挿着空間
２ｂ  係止部
３  挟持部材
３ａ  挟持空間
３ｂ  係止片
４  支持腕
４ａ  湾曲面
４ｂ  ピン穴
４ｃ  ワイヤー溝
４ｄ  ワイヤー掛架部
４ｅ  フック
５  ピン
６  ワイヤー
７  果実支持シート
８  栽培ベッド
９  脚架台
１０  果実支持ネット
Ｇ  培土
Ｐ  イチゴ
Ｐａ  果実
【図１】
2005287355.tif 000003
【図２】
2005287355.tif 000004
【図３】
2005287355.tif 000005
【図４】
2005287355.tif 000006
【図５】
2005287355.tif 000007